(57)【要約】【課題】燃焼リングに関して、最小燃焼時の接炎(表面燃焼)による一酸化炭素(ＣＯ)発生を抑制すべく、燃焼リングに垂直方向のスリットを形成したものが存在するが、通常燃焼時ないし最大燃焼時にＮＯｘの発生が多くなる問題点がある。よって、本発明は、液体燃焼装置において、一酸化炭素(ＣＯ)とＮＯｘの発生を同時に抑制することを課題とする。【解決手段】バーナヘッド９の周囲に間隔を置いて対向する燃焼リング９を、上半部を外側へ曲げた形状とするとともに、燃焼リング９の上半部のみにスリット11を形成したことを特徴とする液体燃焼装置。【選択図】図７
2009058142.tif 000002
【特許請求の範囲】
【請求項１】
バーナヘッド９の周囲に間隔を置いて対向する燃焼リング９を、上半部を外側へ曲げた形状とするとともに、
燃焼リング９の上半部のみにスリット11を形成した
ことを特徴とする液体燃焼装置。
【請求項２】
前記スリット11の幅を３mm以上とすることを特徴とする請求項1に記載する液体燃焼装置。
【請求項３】
外側へ曲げた形状とする上半部について、曲げ角度を１０°ないし４５°とすることを特徴とする請求項1に記載する液体燃焼装置。
【発明の詳細な説明】
【技術分野】
【０００１】
本願発明は、石油ストーブ(例えば、気化式バーナを用いた石油ファンヒータ)の液体燃焼装置に関するものである。より詳しくは、ＣＯとＮＯｘの発生を同時に抑制した液体燃焼装置に関するものである。
【背景技術】
【０００２】
この種の液体燃焼装置の公知例を示す図８を参照して、バーナヘッド９の周囲に間隔を置いて対向する燃焼リング110が設けられている。
【０００３】
【特許文献１】特開平９−４８２０号
【発明の開示】
【発明が解決しようとする課題】
【０００４】
公知技術の液体燃焼装置においては、図８を参照して、燃焼用空気Ｋ0は、ファンケース上部4のところで一次空気Ｋ1と二次空気Ｋ2とに分けられるが、二次空気Ｋ2はバーナスタンド１３と気化筒６の間を通っての上端から炎に供給され、二次燃焼を促し、一酸化炭素(ＣＯ)の発生を抑えている。
【０００５】
しかし、最大燃焼では、炎が大きく二次空気は効果的に働くが、最小燃焼では、炎はバーナヘッド９に接炎(表面燃焼)となり、二次空気Ｋ2は燃焼リング110の壁112が邪魔となり、効果的に接炎に空気を供給できないため、一酸化炭素(ＣＯ)の抑制には効果がないことの問題点がある。
【０００６】
上記の問題点を解決する手段として、特開平９−４８２０号(特許文献１)「 液体燃焼装置」においては、燃焼リング110に垂直方向のスリット111を形成している。該スリット111は、二次空気Ｋ2を供給して最小燃焼時の二次炎(外炎)Ｆ2ａによる一酸化炭素(ＣＯ)の発生を抑えている。
【０００７】
しかし、スリット111は燃焼リング110の下半部にも存在して、その下端は、燃焼リング110の下底端まで達していることで、通常燃焼時ないし最大燃焼時には、図９の(ｂ)を参照して、スリット111の下半部を通して供給される二次空気Ｋ2により、一次炎(内炎)Ｆ1ａに早くから(図９の(ｂ)にＱで示す)二次空気Ｋ2が与えられることで、二次燃焼(外炎)Ｆ2ａが進み、炎が高温となりＮＯｘの発生が多くなる問題点がある。なお、図９の(ｂ)において、Ｆ3ａは三次燃焼である。
【０００８】
本願発明は、上述の理由を鑑みてなされたものであり、一酸化炭素(ＣＯ)とＮＯｘの発生を同時に抑制した液体燃焼装置を提供することを課題とする。
【課題を解決するための手段】
【０００９】
本願発明は、バーナヘッド９の周囲に間隔を置いて対向する燃焼リング10について、燃焼リングの上半部のみに、スリット１１を形成し、且つ、上半部を外側へ曲げた形状とすることを特徴とする。
【発明の効果】
【００１０】
灯油を燃料とする石油燃焼装置のＮＯｘ発生は、燃料の灯油にはほとんどＮ分は含まれていないことから、空気中のＮ２ガスが燃焼用空気として供給されることで、燃焼という高温による酸化作用でＮＯｘが発生する。したがって、ＮＯｘの発生抑制には、二次空気を炎に与える場所が一次燃焼を終えた点が効果的である。
【００１１】
本願発明の液体燃焼装置においては、通常燃焼時、特に最大燃焼時には、二次空気Ｋ2を一次炎(内炎)Ｆ1に与える場所が一次燃焼を終えた点Ｐであることで、ＮＯｘの発生は効果的に抑制される。
最小燃焼時での接炎(表面燃焼)Ｆ1には、外側に曲げたフランジ10Ａによってスリット11よりの二次空気を効果的に供給でき、その結果、一酸化炭素(ＣＯ) の発生を大幅に抑制できる。
【００１２】
よって、本願発明の液体燃焼装置は、ＣＯとＮＯｘの発生を同時に抑制する効果を有する。
【発明を実施するための最良の形態】
【００１３】
本願発明の実施例を示す液体(石油)燃焼装置を、図１ないし図５を参照して説明する。
【００１４】
モータケース１にバーナモータ２とターボファン３が装備されていて、燃焼用空気を取入れる構造である。
【００１５】
この燃焼用空気Ｋ0は、ファンケース上部4のところで一次空気Ｋ1と二次空気Ｋ2とに分けられる。一次空気は、送油パイプ５から送られてくる燃料とともに、気化筒６の一次空気穴から気化筒内に供給される。
【００１６】
この気化筒６の内壁で灯油は気化され、一次空気Ｋ1と混合されたのちディスク７とディスク８を通ってバーナヘッド９の炎孔部に運ばれ点火装置(図示せず)によって点火・燃焼される。
【００１７】
バーナヘッド９上の燃焼炎は、燃焼用空気量を制御するバーナモータ２の回転数に応じて送油パイプからおくられてくる灯油の量をマイコン制御することで維持・変化することができる。
【００１８】
その結果、液体燃焼装置は最大から最小燃焼までターンダウン比１／３を達成する。
【００１９】
バーナヘッド９の周りの燃焼リング１０は、ファンケース上部4で分けられて二次空気Ｋ2の供給位置を一定化するとともに炎が外周に広がり過ぎないようにして燃焼室１２の表面温度を防護する働きをする。
【００２０】
つぎに、本願発明の要部であるところの、バーナヘッド９の周囲に間隔を置いて対向している、燃焼リング10について、図２ないし図５を参照して説明する。
【００２１】
本願発明の燃焼リング１０の上半部10Ａを、外側へ曲げた形状とするともに、上半部10Ａに限定して、スリット１１を形成する。
【００２２】
前記スリット11の幅を３mm以上とする。
【００２３】
外側へ曲げた形状とする上半部について、曲げ角度を１０°ないし４５°とする。
【００２４】
実施例においては、燃焼リング１０の周壁における気化筒のヒータ引出部と対向する部分１０Ｂには、スリット１1は存在しない。また、外側へ傾斜せずほぼ垂直で他よりも低くなっている。その結果、二次空気Ｋ2が流れにくいヒータ引出部の直上位置に対応する燃焼筒の局部赤熱を防止して、燃焼筒の耐久性を高めている。
【００２５】
本願発明の液体燃焼装置においては、図7の(ｂ)を参照して、通常燃焼時、特に最大燃焼時には、二次空気Ｋ2を炎に与える場所が一次燃焼Ｆ1を終えた点Ｐであることで、ＮＯｘの発生は効果的に抑制される。なお、図７の(ｂ)において、Ｆ3は三次燃焼である。
【００２６】
最小燃焼時には、図９の(ａ)を参照して、一次炎(内炎)Ｆ1に対して、スリット11の存在により、バーナヘッド９へ二次空気Ｋ2を効果的に供給でき、その結果、一酸化炭素(ＣＯ) の発生を大幅に抑制される。
【００２７】
よって、本願発明の液体燃焼装置は、ＣＯとＮＯｘの発生を同時に抑制する。
【００２８】
燃焼室１２の表面温度も大きく上昇することなく、燃焼リング本来の機能も維持できる。
【００２９】
燃焼リング１０のスリット11は上半部１０Ａのみに存在して、下半部に存在しないことで、燃焼リング１０の熱変形を無くして、燃焼リング１０の形状維持に耐久性を高めるものである。
【００３０】
図６は、本発明の液体燃焼装置Ａの搭載例として石油ファンヒータを示し、ａ図は
内部構造を示す正面図、ｂ図は同じく側面図である。
【００３１】
図６において、２０は遮熱板、２１はバーナ、２２は送油管、２３はポンプ、２４は油受皿、２５は燃焼用送風機、２６は温風吹出口、２７は過熱防止装置、２８はファンガード、２９は対流用送風機、３０は気化用ヒータである。
【産業上の利用可能性】
【００３２】
本願発明は、液体燃焼装置のＣＯとＮＯｘの発生抑制対策を確実なものとすることで、液体燃焼装置の商品価値を高め、液体燃焼装置の利用促進はかることにより、産業の発展に寄与するものである。
【図面の簡単な説明】
【００３３】
【図１】本願発明の実施例を示す液体(石油)燃焼装置の縦断面図。
【図２】本願発明の要部である燃焼リングの斜視図。
【図３】同じく平面図。
【図４】同じく縦断面図。
【図５】同じく側面図。
【図６】石油ファンヒータを示し、（ａ）図は内部構造の正面図、(ｂ)図は側面図。
【図７】本願発明の液体(石油)燃焼装置におけるスリット11の作用説明図で、通常燃焼時ないし最大燃焼時における二次空気の供給状態を示す。
【図８】公知の液体(石油)燃焼装置の縦断面図。
【図９】公知の液体(石油)燃焼装置におけるスリット111の作用説明図で、通常燃焼時ないし最大燃焼時における二次空気の供給状態を示す。
【符号の説明】
【００３４】
６    気化筒
９    バーナヘッド
１０    燃焼リング
１０Ａ  上半部(フランジ)
１１    スリット
１２    燃焼室
【図１】
2009058142.tif 000003
【図２】
2009058142.tif 000004
【図３】
2009058142.tif 000005
【図４】
2009058142.tif 000006
【図５】
2009058142.tif 000007
【図６】
2009058142.tif 000008
【図７】
2009058142.tif 000009
【図８】
2009058142.tif 000010
【図９】
2009058142.tif 000011